(57)【要約】  内部テレビジョンチューナの出力を直接経路指定して、遠隔装置による復号されたオーディオビデオデータ信号の使用を可能にする方法および装置。テレビジョンの内部チューナの出力信号を経路指定して、復号されたオーディオビデオデータ信号の直接使用を可能にする方法および装置は、デジタル放送信号をテレビジョンで受け取るステップと、この放送信号を、テレビジョン内の1つまたは複数のデジタルチューナで復号して、復号されたオーディオビデオデータ信号を生成するステップと、この復号されたオーディオビデオデータ信号をチューナからテレビジョンの出力ポートへ経路指定するステップとを含み、この出力ポートは、記録装置または遠隔表示画面などの遠隔装置に通信可能に結合するように構成される。オーディオビデオデータ信号は、オーディオビデオ信号および制御データを含む。好ましくは、復号されたオーディオビデオデータはデジタル形式である。別の態様として、復号されたオーディオビデオデータはアナログ形式である。テレビジョンは、オーディオビデオデータ信号を遠隔装置へ送る。遠隔装置は、復号されたオーディオビデオデータ信号を、チューナから直接、復号された入力信号として受け取る。遠隔装置が受け取る復号されたオーディオビデオデータ信号は、即座に使用可能であり、遠隔装置上で記録または表示する前にさらなる処理を必要としない。【選択図】図３
2009505512.tif 000002
【特許請求の範囲】
【請求項１】
a.デジタル放送信号をテレビジョンで受け取るステップと、
b.前記デジタル放送信号を、前記テレビジョン内の少なくとも1つのチューナで復号して、復号されたオーディオビデオデータを生成するステップと、
c.前記復号されたオーディオビデオデータを前記チューナから前記テレビジョンの出力ポートへ経路指定するステップとを含み、前記出力ポートが、遠隔装置に通信可能に結合するように構成される、
方法。
【請求項２】
前記オーディオビデオデータが制御データを含む、請求項1に記載の方法。
【請求項３】
前記オーディオビデオデータがオーディオビデオ信号を含む、請求項1に記載の方法。
【請求項４】
前記復号されたオーディオビデオデータがデジタル形式である、請求項1に記載の方法。
【請求項５】
前記復号されたオーディオビデオデータがアナログ形式である、請求項1に記載の方法。
【請求項６】
前記遠隔装置が、前記復号されたオーディオビデオデータを入力として受け取る、請求項1に記載の方法。
【請求項７】
前記遠隔装置が記録装置である、請求項1に記載の方法。
【請求項８】
前記遠隔装置が遠隔表示画面である、請求項1に記載の方法。
【請求項９】
前記オーディオビデオデータを前記出力ポートから遠隔表示画面へ経路指定するステップをさらに含む、請求項1に記載の方法。
【請求項１０】
テレビジョンのチューナから直接記録可能なオーディオビデオ出力を供給する方法であって、
a.デジタル放送信号をテレビジョンで受け取るステップと、
b.前記デジタル放送信号を少なくとも1つのチューナで復号して、復号されたオーディオビデオ信号を生成するステップと、
c.前記復号されたオーディオビデオ信号を前記テレビジョンのチューナから遠隔装置へ経路指定するステップとを含む、方法。
【請求項１１】
前記オーディオビデオ信号が制御データを含む、請求項10に記載の方法。
【請求項１２】
制御データを前記遠隔装置へ経路指定するステップをさらに含む、請求項10に記載の方法。
【請求項１３】
制御データを前記遠隔装置から受け取るステップをさらに含む、請求項10に記載の方法。
【請求項１４】
前記遠隔装置が記録装置である、請求項10に記載の方法。
【請求項１５】
前記遠隔装置が遠隔表示画面である、請求項10に記載の方法。
【請求項１６】
前記オーディオビデオ信号を遠隔表示画面へ経路指定するステップをさらに含む、請求項10に記載の方法。
【請求項１７】
信号を経路指定するテレビジョンであって、
a.デジタル放送信号を受け取り、かつ復号された信号を生成するように結合されたチューナと、
b.前記チューナに結合された出力ポートとを備え、前記復号されたオーディオビデオ信号が前記出力ポートへ直接経路指定されており、さらに前記出力ポートが遠隔装置に通信可能に結合するように構成される、テレビジョン。
【請求項１８】
少なくとも1つのチューナが内部にある、請求項17に記載のテレビジョン。
【請求項１９】
前記テレビジョンが複数のチューナを有する、請求項17に記載のテレビジョン。
【請求項２０】
前記テレビジョン上に、制御データを受け取るための入力ポートをさらに備える、請求項17に記載のテレビジョン。
【請求項２１】
記録装置をさらに備え、前記テレビジョン出力ポートが前記遠隔装置へデータを送る、請求項17に記載のテレビジョン。
【請求項２２】
前記遠隔装置が、制御データを前記テレビジョンへ送るための出力ポートを有する、請求項21に記載のテレビジョン。
【請求項２３】
前記遠隔装置が、復号されたオーディオビデオ入力信号を受け取る、請求項17に記載のテレビジョン。
【請求項２４】
信号を受け取りかつ経路指定する表示装置であって、
a.表示画面と、
b.デジタル放送信号を受け取り、かつ復号されたオーディオビデオ信号を生成するように結合されたチューナと、
c.前記チューナに結合された出力ポートとを備え、前記復号されたオーディオビデオ信号が前記出力ポートへ経路指定されており、さらに前記出力ポートが遠隔装置に通信可能に結合するように構成される、表示装置。
【請求項２５】
少なくとも1つのチューナが内部にある、請求項24に記載の装置。
【請求項２６】
前記表示装置が複数のチューナを有する、請求項24に記載の装置。
【請求項２７】
少なくとも1つのチューナがアナログ規格に適合している、請求項24に記載の装置。
【請求項２８】
少なくとも1つのチューナがデジタル規格に適合している、請求項24に記載の装置。
【請求項２９】
前記表示装置上に、制御データを受け取るための入力ポートをさらに備える、請求項24に記載の装置。
【請求項３０】
記録装置をさらに備え、前記表示装置出力ポートがデータを前記記録装置へ送る、請求項24に記載の装置。
【請求項３１】
前記記録装置が、制御データを前記表示装置へ送るための出力データポートを有する、請求項30に記載の装置。
【請求項３２】
前記記録装置が、復号されたオーディオビデオ入力データ信号を受け取る、請求項24に記載の装置。
【請求項３３】
a.復号されたデジタルオーディオビデオ信号をテレビジョンのチューナから受け取るように構成された入力ポートと、
b.前記復号されたデジタルオーディオビデオ信号のうち選択された部分を受け取りかつ記録するように入力ポートに結合された記録媒体とを備える、
記録装置。
【請求項３４】
前記入力ポートが制御データを受け取る、請求項33に記載の記録装置。
【請求項３５】
記録装置出力ポートをさらに備え、前記記録装置が前記テレビジョンと通信することができる、請求項33に記載の記録装置。
【請求項３６】
前記記録装置が、前記テレビジョンの特定の機能を制御する、請求項33に記載の記録装置。
【請求項３７】
前記テレビジョンが、前記記録装置の特定の機能を制御する、請求項33に記載の記録装置。
【請求項３８】
a.テレビジョンであって、
i.デジタル放送信号を受け取り、かつ復号されたオーディオビデオデータ信号を生成するように結合されたチューナ、および
ii.前記チューナに結合された出力ポートを含み、前記復号されたオーディオビデオデータ信号が前記出力ポートへ経路指定されており、さらに前記出力ポートが記録装置に通信可能に結合するように構成される、テレビジョンと、
b.記録装置であって、
i.復号されたオーディオビデオデータ信号を前記テレビジョンから受け取るように構成された入力ポート、および
ii.前記復号されたオーディオビデオデータ信号のうち選択された部分を受け取りかつ記録するように前記入力ポートに結合された記録媒体を含む、記録装置とを備える、
オーディオビデオデータ信号を経路指定するシステム。
【請求項３９】
前記復号されたオーディオビデオデータ信号がオーディオビデオ信号を含む、請求項38に記載のシステム。
【請求項４０】
前記復号されたオーディオビデオデータ信号が制御データを含む、請求項38に記載のシステム。
【請求項４１】
少なくとも1つのチューナが前記テレビジョンの内部にある、請求項38に記載のシステム。
【請求項４２】
前記テレビジョンが複数のチューナを有する、請求項38に記載のシステム。
【請求項４３】
少なくとも1つのチューナが、アナログ規格に適合している、請求項38に記載のシステム。
【請求項４４】
少なくとも1つのチューナが、デジタル規格に適合している、請求項38に記載のシステム。
【請求項４５】
前記テレビジョン上に、制御データを受け取るための入力ポートをさらに備える、請求項38に記載のシステム。
【請求項４６】
前記テレビジョン出力ポートが、制御データを前記記録装置へ送る、請求項38に記載のシステム。
【請求項４７】
前記記録装置が、制御データを前記テレビジョンへ送るための出力ポートを有する、請求項38に記載のシステム。
【請求項４８】
前記記録装置が、前記テレビジョンの特定の機能を制御する、請求項38に記載のシステム。
【請求項４９】
前記テレビジョンが、前記記録装置の特定の機能を制御する、請求項38に記載のシステム。
【請求項５０】
前記テレビジョンの前記出力ポートに通信可能に結合するように構成された複数の装置を含む、ネットワーク構成要素をさらに備え、復号されたオーディオビデオデータ信号が入手可能である、請求項38に記載のシステム。
【請求項５１】
前記記録装置が、テレビジョン内のある特定のチューナを制御する、請求項38に記載のシステム。
【請求項５２】
ユーザが、どのチューナが前記出力ポートへ経路指定されるかを選択する、請求項38に記載のシステム。
【発明の詳細な説明】
【技術分野】
【０００１】
本発明は、テレビジョンの分野に関する。より詳細には、本発明は、ユーザがそこから、復号されたオーディオビデオ信号を記録し、または復号されたオーディオビデオ信号を別の装置へ渡すことを望むことがある、内部チューナを有するテレビジョンの分野に関する。
【背景技術】
【０００２】
現在、「無線(over the air)」テレビジョン放送および有線放送には、2つの規格が使用されている。アナログ規格は、何年間も主流の規格となっており、National Television System Committee(NTSC)によって開発されたものである。デジタル規格が、新たに出現してきたが、これはAdvanced Television System Committee(ATSC)によって開発されたものである。無線放送とは、RF(無線周波数)信号を受信するアンテナを介して、テレビジョンのチューナがテレビジョン信号を受け取ることを意味する。従来の有線放送では、RF信号を、同軸ケーブルから直接受け取る。NTSCチューナはデジタル信号を処理することができず、ATSCチューナはアナログ信号を処理することができない。デジタル形式の方がより品質が高いので、好ましい規格はATSCであるが、現在主要なネットワークテレビジョンは、NTSC規格とATSC規格をどちらも放送する。しかし、連邦通信委員会(FCC)は、最終的にはすべてのテレビジョンがATSCデジタル形式に適合するように、特定のテレビジョン受像機に少なくとも1つのATSCチューナを備えることを義務付けることによって、NTSC規格を段階的に廃止しているところである。
【０００３】
ATSC互換のテレビジョンを使用するテレビジョン視聴者は、より高品質の映像および音でテレビジョン番組を見ることができる。これらのATSCテレビジョンユーザにとっての問題は、ユーザがテレビジョン番組を記録しようとするときに生じる。市場の記録装置は内部チューナを有するが、これらの記録装置は通常、1つのNTSC規格チューナしか備えていない。したがって、視聴者がテレビジョン受信機で視聴する高品質のテレビジョンおよび音は、同時に記録装置上に記録されているものと同じオーディオおよびビデオではない。この装置上に記録されるオーディオおよびビデオは、ATSC互換のテレビジョン上で視聴できる画像および音と比較すると品質が劣る。
【０００４】
初期のテレビジョンおよび記録装置のブロック図を、図1Aに示す。有線または無線アナログ信号を、接続30を介してソース出口10から受け取り、テレビジョン100へ送る。チューナ110は、ユーザが選択するチャンネルを画面120上で視聴できるようにアナログ信号を処理する。チューナ110は、視聴するためのチャンネルを、任意の所与の時点において1チャンネルしか処理できない。接続50は、接続60と接続70に分割され、同一の信号が、接続60および70を介して経路指定される。この可視のアナログ信号は、画面120へ接続60を介して送られる。このようなシステムでは、ユーザが番組を記録しようとする場合、可視のアナログ信号は、記録装置200へ接続70を介して送られる。後にユーザが記録された番組を見ようとするとき、記録装置200は、この可視のアナログ信号を画面120へ接続80を介して送る。記録装置200が専用のチューナを持たないので、ユーザは、あるテレビジョン番組を見ながら、同時に別の番組を記録することができない。さらに、記録はアナログ形式である。
【０００５】
次に図1Bを参照すると、ユーザが同時に1つのテレビジョン番組を見ながら、同時に異なるテレビジョン番組を記録できるようするために、記録装置は、専用チューナ211を備えるように製造された。このシステムは、ケーブルまたはアンテナ10からの信号を、2つの接続である接続31と接続71に分割する。接続31および71で入手可能な信号は同一であり、処理されていない。接続31は、テレビジョンのチューナ111への入力を供給する。テレビジョンチューナ111は、従来NTSCチューナであるが、現在はより一般的に、ATSCチューナである。テレビジョンチューナ111は、ユーザが選択するチャンネルに従って信号を処理し、この可視信号を画面121へ接続61を介して送る。接続71は、記録装置のチューナ211への入力を供給する。チューナ211は、一般にNTSCチューナである。ATSCチューナを記録装置201内に組み込むコストは、法外に高い。記録装置チューナ211は、ユーザが選択するものと同じまたは異なるチャンネルに従って信号を処理する。視聴されるチャンネルおよび記録されるチャンネルは、2つの独立したチューナによって同調される。ユーザが記録された番組を見ようとするとき、記録装置201は、可視信号を画面121へ接続81を介して送る。記録装置チューナ211がNTSCチューナなので、接続81を介して画面121へ送られる可視信号はアナログである。
【０００６】
現況技術を図1Cに示す。この構成は、図1Bの構成とほぼ同様である。主な違いは、テレビジョン102が2つのチューナ112および113を備えていることである。市場の多くのテレビジョンは、現在、ピクチャインピクチャ(picture-in-picture)機能および他の様々な機能用に2つのチューナを有する。テレビジョンへの入力は、接続32から供給され、さらにテレビジョンの中で接続37と接続38に分割される。接続37および38は、それぞれテレビジョンチューナ112および113への入力となる。チューナ112および113は、信号を処理し、復号されたオーディオビデオ信号を、それぞれ接続62および63を介して、それぞれ画面122およびピクチャインピクチャ画面部分123へ送る。この場合も、記録を再生するときは、記録装置チューナ212がNTSCチューナなので、接続82を通って画面122へ送られるオーディオビデオ信号はアナログである。
【発明の開示】
【発明が解決しようとする課題】
【０００７】
現在、デジタル無線放送の記録に関する問題に対して特定の解決策がある。1つの解決策は、ATSC規格に準拠する第2のチューナを記録装置に追加することである。しかし、チューナの構成要素が高価であり、記録装置が低い利幅で販売されるので、第2のチューナを記録装置に追加することは、製造者および消費者にとって法外に高価なことである。別の解決策は、すべての新しい記録装置内でNTSC規格チューナをATSC規格チューナに置き換えることであろう。この解決策の第1の欠点は、依然として1つのチューナが記録専用であるということである。これは、特にチューナ構成要素の追加費用を考えると、非効率的な資源の使い方である。この解決策の第2の欠点は、FCC移行期間中は、NTSC規格信号だけを放送するより小規模なテレビジョン局を、ATSC専用の記録装置では記録できなくなることである。
【課題を解決するための手段】
【０００８】
テレビジョンの内部チューナの出力信号を経路指定する方法および装置によって、記録装置または遠隔表示画面などの遠隔装置が、復号されたオーディオビデオ信号を直接使用できるようになる。テレビジョンの内部チューナの出力信号を経路指定して、復号されたオーディオビデオ信号の直接使用を可能にする方法は、デジタル放送信号をテレビジョンで受け取るステップと、この放送信号を、テレビジョン内の少なくとも1つのチューナで復号して、復号されたオーディオビデオデータを生成するステップと、この復号されたオーディオビデオデータをチューナからテレビジョンの出力ポートへ経路指定するステップとを含み、この出力ポートが、遠隔装置に通信可能に(communicably)結合するように構成される。このオーディオビデオデータは、オーディオビデオテレビジョン信号を含む。一部の実施形態では、オーディオビデオデータは制御データを含む。一部の実施形態では、オーディオビデオデータはプログラミング情報を含む。さらに、制御データも、出力ポートへ経路指定される。好ましくは、復号されたオーディオビデオデータ信号はデジタル形式である。別の態様として、復号されたオーディオビデオデータ信号はアナログ形式である。テレビジョンは、オーディオビデオデータを遠隔装置へ送る。この遠隔装置は、好ましくは記録装置であり、または別の態様として遠隔表示画面である。この遠隔装置は、復号されたオーディオビデオデータをチューナから直接、復号された入力信号として受け取る。
【０００９】
本発明の別の態様では、テレビジョンのチューナから直接記録可能な出力を供給する方法は、デジタル放送信号をテレビジョンで受け取るステップと、この放送信号を、テレビジョン内の少なくとも1つのチューナで復号して、復号されたオーディオビデオ信号を生成するステップと、この復号されたオーディオビデオ信号をテレビジョンチューナから出力ポートへ経路指定し、さらにこの復号されたオーディオビデオ信号を遠隔装置へ経路指定するステップとを含む。一実施形態では、制御データが遠隔装置へ経路指定される。この遠隔装置は、復号されたオーディオビデオ信号を、この遠隔装置への入力として受け取る。別の実施形態では、本発明は、遠隔装置からの制御データをテレビジョンで受け取るステップを開示している。この遠隔装置は、好ましくは記録装置であり、または別の態様として遠隔表示画面である。
【００１０】
本発明の別の態様では、オーディオビデオ信号を受け取りかつ経路指定するテレビジョンが開示されている。このテレビジョンは、デジタル放送信号を受け取りかつ復号されたオーディオビデオ信号を生成するように結合されたチューナと、このチューナに結合された出力ポートとを備え、この復号されたオーディオビデオ信号が、出力ポートへ直接経路指定される。このテレビジョンは、少なくとも1つのチューナを含む。これらのチューナのうち少なくとも1つは、テレビジョンの内部にある。一実施形態では、テレビジョンは、テレビジョンに結合された、制御データを受け取るための入力ポートを、さらに備える。別の実施形態では、テレビジョンは、記録装置をさらに備え、出力ポートがデータをこの記録装置へ送る。記録装置は、復号されたオーディオビデオ信号を受け取る。この信号は、チューナからの復号されたオーディオビデオ出力信号である。好ましくは、記録装置はまた、制御データをテレビジョンへ送るための出力データポートを有する。
【００１１】
本発明のさらに別の態様では、オーディオビデオ信号を受け取りかつ経路指定する表示装置が開示されている。この表示装置は、表示画面と、デジタル放送信号を受け取りかつ復号されたオーディオビデオ信号を生成するように結合されたチューナと、このチューナに結合された出力ポートとを備え、この復号されたオーディオビデオ信号が、出力ポートへ直接経路指定されて、遠隔装置によって使用される。一実施形態では、この表示装置は複数のチューナを有する。これらのチューナの少なくとも1つは内部にある。好ましくは、復号されたオーディオビデオデータ信号はデジタル形式である。別の態様として、復号されたオーディオビデオデータ信号はアナログ形式である。一実施形態では、表示装置は、表示装置に結合された、制御データを受け取るための入力ポートを、さらに備える。別の実施形態では、表示装置は、記録装置をさらに備え、出力ポートがデータをこの記録装置へ送る。記録装置は、復号されたオーディオビデオ信号をチューナから直接受け取ることができる。記録装置は、制御データを表示装置へ送るための出力データポートを含む。
【００１２】
本発明は、復号されたデジタルオーディオビデオ信号をテレビジョンのチューナから受け取るように構成された記録装置入力ポートと、その復号されたデジタルオーディオビデオ信号のうち選択された部分を受け取りかつ記録するように記録装置入力ポートに結合された記録媒体とを備える、記録装置を開示している。この記録装置は、出力ポートをさらに備え、テレビジョンと通信することができる。記録装置入力ポートは、制御データを受け取る。一実施形態では、記録装置は、テレビジョンの特定の機能を制御する。別の実施形態では、テレビジョンは、記録装置の特定の機能を制御する。
【００１３】
オーディオビデオデータ信号を経路指定するシステムが、本発明の別の態様で開示されている。このシステムは、テレビジョンと、記録装置とを含む。このテレビジョンは、デジタル放送信号を受け取りかつ復号されたオーディオビデオデータ信号を生成するように結合されたチューナと、このチューナに結合された出力ポートとを含み、この復号されたオーディオビデオ信号が、出力ポートへ直接経路指定される。この記録装置は、復号されたオーディオビデオデータ信号をテレビジョンからテレビジョンの出力ポートを介して受け取るように構成された入力ポートと、その復号されたオーディオビデオデータ信号のうち選択された部分を受け取りかつ記録するように入力ポートに結合された記録媒体とを含む。好ましくは、復号されたオーディオビデオデータ信号は、テレビジョン信号を含む。復号されたオーディオビデオデータ信号は、制御データおよびプログラミング情報を含む。さらに、制御データも、出力ポートへ経路指定される。一実施形態では、このテレビジョンは、複数のチューナを有する。少なくとも1つのチューナは、テレビジョンの内部にある。好ましくは、復号されたオーディオビデオデータ信号はデジタル形式である。別の態様として、復号されたオーディオビデオデータ信号はアナログ形式である。本発明の別の実施形態では、テレビジョンは、制御データを記録装置から受け取るための入力端を有し、記録装置は、復号されたオーディオビデオ信号を受け取るための入力端を有する。好ましくは、テレビジョンデータ出力ポートは、制御データを記録装置へ送り、記録装置は、制御データをテレビジョンへ送るための出力データポートを有する。記録装置は、テレビジョンの特定の機能を制御する。テレビジョンは、記録装置の特定の機能を制御する。
【００１４】
本発明の他の特徴および利点は、以下に示す好ましい実施形態についての詳細な説明を検討すれば明らかになるであろう。
【発明を実施するための最良の形態】
【００１５】
次に、本発明の好ましい実施形態および代替実施形態を詳細に参照されたい。それらの例を添付の図面に示す。本発明について好ましい実施形態と併せて説明するが、本発明をそれらの実施形態に限定するものでないことは理解されるであろう。一方、本発明は、代替形態、修正形態、および等価物を包含するものであり、これらを、添付の特許請求の範囲に定義される本発明の精神および範囲に含むことができる。さらに、本発明についての以下の詳細な説明では、本発明を完全に理解できるように、多数の具体的な詳細を示す。しかし、このような具体的な詳細なしでも本発明を実施できることに留意されたい。他の例では、本発明の態様を不必要に曖昧にしないように、周知の方法、手順、および構成要素については詳細に説明していない。
【００１６】
テレビジョンの内部チューナの出力信号を経路指定して、記録装置または遠隔表示画面などの遠隔装置による復号されたオーディオビデオ信号の直接使用を可能にする方法および装置が、本発明により開示されている。本発明によれば、図2Aは、遠隔装置が直接使用するためのオーディオビデオ信号を受け取りかつ経路指定するテレビジョンを示す。テレビジョン300は、デジタル放送信号を接続34を介して受け取るように結合される。このデジタル放送信号は、標準的な方法によって、ケーブルまたはアンテナ出口10から入手可能である。接続34は、接続35と36に分割される。テレビジョン300は、デジタル放送信号を接続35を介して受け取り、かつ復号されたオーディオビデオデータ信号を生成するように結合された、第1のチューナ310を備える。好ましくは、テレビジョン300は、デジタル放送信号を接続36を介して受け取り、かつ復号されたオーディオビデオデータ信号を生成するように結合された、第2のチューナ320を備える。第1のチューナ310からの復号されたオーディオビデオデータ信号は、テレビジョン画面330へ接続65を介して経路指定され、そこでこのオーディオビデオ信号が表示される。チューナ320の出力は、接続66を通って経路指定される復号されたオーディオビデオデータ信号である。接続66は、接続67と接続68に分割され、接続67および68は、同一の信号を経路指定する。好ましくは、第2のチューナ320からの復号されたオーディオビデオデータ信号は、接続67を介して直接出力ポート360へ経路指定され、また接続68を介してテレビジョンピクチャインピクチャ画面部分340へ経路指定される。好ましくは、どちらのチューナも、デジタル規格に適合している。別の態様として、1つまたは複数のチューナが、デジタル規格に適合している。好ましくは、チューナ310および320は、デジタル放送信号を入力として接続35および36を介して受け取り、デジタルオーディオビデオ信号を出力する。別の態様として、デジタルチューナは、アナログオーディオビデオ信号を出力するためのデジタル-アナログ変換器を備える。デジタル放送信号の復号は、チューナ310および320内で従来の方法を用いて行われる。出力ポート360は、記録装置または遠隔表示画面などの遠隔装置399に通信可能に結合するように構成される。
【００１７】
別の態様として、テレビジョンは、1つのデジタルチューナを有し、その1つのチューナの出力が、複数の接続に分割されており、ある接続が、復号されたオーディオビデオ信号をテレビジョン画面へ経路指定し、第2の接続が、同じ復号されたオーディオビデオ信号を、遠隔装置に通信可能に結合するように構成された出力ポートへ経路指定する。しかし、それでは視聴者が、ある番組をテレビジョン画面上で見て、同時に異なるテレビジョン番組を記録装置で記録することができないので、この実施形態は好ましくない。
【００１８】
一部の実施形態では、遠隔装置399は、第2のテレビジョンチューナ320の出力を、いかなる追加の処理もなしで接続67から直接利用する。別の態様として、第1のチューナ310および第2のチューナ320への接続を入れ替えると、遠隔装置399は、第1のチューナ310の出力を、いかなる追加の処理もなしで直接利用する。遠隔装置399は、復号されたオーディオビデオ信号を、受け取り、記録し、表示し、またはその他の方法で利用することができ、ユーザはその信号を、テレビジョン画面330またはピクチャインピクチャ画面部分340上で視聴することができる。これは、本発明の構成によって可能になる。なぜなら、テレビジョン画面330と出力ポート360はともに、同じオーディオビデオデジタル信号を、接続67と68に分割された接続66を介して受け取るからである。したがって、視聴者が高品質のデジタル画像を画面330上で見ているとき、通信可能に結合された装置399も、テレビジョン画面330上に表示されるものと同じ復号されたデジタル信号を、受け取り、記録し、かつ/または表示することができる。
【００１９】
出力ポート360が復号されたオーディオビデオ信号を供給するので、通信可能に結合された装置は、接続67経由で経路指定される復号されたオーディオビデオ信号を、受け取り、表示し、記録し、またはその他の方法で利用するために、専用のチューナを持つ必要がない。これにより、製造者にとっての生産コストおよび消費者にとっての購入コストが、最小限になる。テレビジョンの内部チューナを使用することは、ハードウェア資源を効率的に使用することでもある。好ましくは、テレビジョン300は、複数のチューナ310および320を備える。別の態様として、テレビジョン300は、少なくとも1つのチューナを備える。このうち1つまたは複数のチューナは、テレビジョンの内部にある。
【００２０】
一実施形態では、テレビジョンは、通信可能に接続された遠隔装置399へ接続80を介して制御データを送る制御ユニット350をさらに備える。制御データには、遠隔装置の電源投入および遠隔装置の電源遮断を含む機能を指示する命令が含まれる。一部の実施形態では、制御データはプログラミング情報を含む。別の実施形態では、テレビジョン300は、テレビジョン300に結合された、制御データを接続90経由で受け取るための入力ポート370を、さらに備える。この制御データは、入力ポート370から制御ユニット350へ経路指定される。制御ユニット350は、遠隔装置399からの制御データを受け取る。この制御データには、テレビジョンの電源投入、テレビジョンの電源遮断、およびチューナチャンネルの選択を含む様々な機能を指示する命令が含まれる。
【００２１】
遠隔装置399は、記録装置または遠隔表示画面を含む任意の数の装置である。一実施形態では、テレビジョンは、遠隔記録装置500(図2B参照)に通信可能に結合されており、オーディオビデオデータが、記録装置500へ接続67を介して送られる。別の実施形態では、テレビジョン300は、遠隔表示画面600(図2C参照)に通信可能に結合されており、オーディオビデオデータが、遠隔表示画面600へ接続67を介して送られる。好ましくは、遠隔装置399は、データ信号を、テレビジョン300へ返すように接続87および90を介して経路指定することができる。一実施形態では、テレビジョン300を遠隔装置399に通信可能に結合させる接続(接続67、80、87、および90)は、ケーブルまたはワイヤなどの物理接続である。代替実施形態では、これらの接続は、信号を無線で経路指定する、適切な無線形式またはプロトコルを含む。
【００２２】
本発明によれば、図2Bは、テレビジョンの内部デジタルチューナからのオーディオビデオ出力を直接記録する記録装置を示す。記録装置500は、テレビジョンの出力ポートに通信可能に結合しかつ復号されたデジタルオーディオビデオ信号をテレビジョンのチューナから受け取るように構成された入力ポート580と、この復号されたオーディオビデオ信号のうち選択された部分を記録するように入力ポート580に結合された記録媒体520と、制御データを受け取りかつ送り出すように結合された制御ユニット550と、テレビジョンの入力ポートに通信可能に結合するように構成された出力ポート590とを備える。記録装置入力ポート580は、テレビジョンの出力ポートを記録装置入力ポート580に接続する接続67経由で、復号されたオーディオビデオ信号を受け取る。好ましくは、記録装置入力ポート580はまた、接続80経由で、テレビジョンの出力ポートから制御データも受け取る。記録を再生するときは、記録装置出力ポート590は、制御データを、テレビジョンの入力ポートへ接続90を介して送り出し、かつデジタルで記録されたオーディオビデオ信号を、接続87を介して経路指定する。
【００２３】
記録装置入力ポート580は、復号されたオーディオビデオ信号を接続67経由で受け取り、この復号されたオーディオビデオ信号は、従来の手段を用いて、記録媒体520上に記録される。好ましくは、このオーディオビデオ信号はデジタル形式である。別の態様として、このオーディオビデオ信号は、チューナ内でデジタル信号から変換されたアナログ信号である。記録媒体520は、再生することができる。ユーザが記録を再生しようとするとき、記録装置500は、オーディオビデオ信号を接続87経由でテレビジョン入力ポートへ送る。好ましい実施形態では、テレビジョンによって表示される記録されたオーディオおよびビデオはデジタルであり、最初の放送で受け取りかつ復号したときに、ユーザがその記録された部分を見た場合には視聴したはずのものと同じ高い品質を有する。
【００２４】
さらに制御ユニット550が、制御データを接続90経由でテレビジョン入力ポートへ送り出す。記録装置制御ユニット550がテレビジョン入力ポートへ接続90経由で送り出す制御データは、命令およびプログラミング情報を含む。記録装置制御ユニット550から送り出された制御データは、テレビジョンの電源投入、テレビジョンの電源遮断、テレビジョンタイマの設定、およびテレビジョンチャンネルの選択などの機能を制御する。制御ユニット550はまた、テレビジョンから接続80経由で受け取る制御データを処理する。このテレビジョン制御データは、命令およびプログラミング情報を含み、記録装置はこれらを使用して、記録装置の電源投入、記録装置の電源遮断、記録の開始、記録の停止、所定の長さの時間にわたる記録、およびプログラミング情報に基づく特定のジャンルの記録を含む、機能を実行する。
【００２５】
本発明の好ましい実施形態では、記録装置500とテレビジョン300は、通信可能に結合される。テレビジョン出力ポート360は、記録装置入力ポート580に通信可能に結合され、記録装置出力ポート590は、テレビジョン入力ポート370に通信可能に結合される。記録装置500は、テレビジョンのチューナ320からの復号された出力である、復号されたオーディオビデオデータ信号を、接続67経由で受け取る。好ましくは、このオーディオビデオデータは、オーディオビデオ信号および制御データを含む。別の態様として、記録装置500は、テレビジョンのチューナ320からの復号された出力である、復号されたオーディオビデオ信号を、接続67経由で受け取り、さらに、テレビジョン制御ユニット350からの制御データを、接続80経由で受け取る。
【００２６】
記録装置500は、テレビジョン300から直接出力される信号を記録する。より具体的には、記録装置500は、接続67からの復号されたオーディオビデオデータ信号を記録する。記録装置500は、従来の方法を利用して、所望の番組を記録媒体520上へ記録し、かつその番組を記録された媒体520から再生する。好ましくは、記録装置500はまた、制御データをテレビジョンへ接続90経由で送るための記録装置出力データポート590を有する。また好ましくは、テレビジョン入力ポート370は、制御データを接続90経由で記録装置500から受け取るように構成される。
【００２７】
記録装置出力ポート590は、制御データをテレビジョン入力ポート370へ送り出して、様々な機能を制御する。この制御データは、テレビジョン入力ポート370からテレビジョン制御ユニット350へ経路指定され、テレビジョン制御ユニット350がその命令を処理する。さらに別の実施形態では、記録装置入力ポート580は、制御データ90を受け取る。一実施形態では、記録装置500は、テレビジョン300の特定の機能を制御する。別の実施形態では、テレビジョン300は、記録装置500の特定の機能を制御する。ユーザが望むときは、記録媒体520を、従来の手段により再生することができる。記録された番組は、出力ポート590へ経路指定される。出力ポート590は、テレビジョン入力ポート370に通信可能に結合するように構成される。記録装置出力ポート590とテレビジョン入力ポート370は、接続87で結合される。好ましくは、再生時に接続87経由で経路指定される信号は、デジタルオーディオビデオ信号である。
【００２８】
本発明によれば、図2Cは、テレビジョンの内部デジタルチューナからのオーディオビデオ出力信号を直接表示する遠隔表示画面を示す。遠隔表示画面600は、復号されたデジタルオーディオビデオ信号を受け取るように通信可能に結合された入力ポート680と、この復号されたデジタルオーディオビデオ信号を表示するように結合された可視画面620と、制御データを受け取り、処理し、かつ送り出すように結合された制御ユニット650と、制御データを経路指定するように構成された出力ポート690とを備える。遠隔表示画面600は、遠隔表示入力画面ポート680および遠隔表示画面出力ポート690でテレビジョンに通信可能に結合するように構成される。
【００２９】
内部テレビジョンチューナで生成されるオーディオビデオ信号は、遠隔表示画面680に渡される。遠隔表示画面入力ポート680は、復号されたデジタルオーディオビデオ信号を接続67経由で受け取り、この復号されたデジタルオーディオビデオ信号は、従来の手段を用いて、可視画面620上へ表示される。可視画面620は、高品質のデジタルオーディオおよびビデオを、専用のチューナを使用しないで表示することができる。可視画面620が表示する記録されたオーディオおよびビデオは、専用のチューナを備える送り側の装置上に表示される画像および音と同じ高品質を有する。
【００３０】
制御ユニット650は、制御データを、接続90経由でテレビジョン入力ポートへ送り出す。記録装置制御ユニット650がテレビジョン入力ポートへ接続90経由で送り出す制御データは、テレビジョンへの命令を含む。遠隔表示画面制御ユニット650から発行される制御データ命令は、テレビジョンの電源投入、テレビジョンの電源遮断、テレビジョンタイマの設定、およびテレビジョンチャンネルの選択を含む、特定の機能を制御する。さらに入力ポート680は、制御データを接続80経由で受け取る。制御ユニット650は、テレビジョンから受け取るこの制御データを処理する。このテレビジョン制御データは、命令およびプログラミング情報を含み、記録装置はこれらを使用して、遠隔表示画面の電源投入、遠隔表示画面の電源遮断、表示の開始、表示の停止、および所定の長さの時間にわたる表示を含む、様々な機能を実行する。
【００３１】
本発明の好ましい実施形態では、遠隔表示画面600とテレビジョン300は、通信可能に結合される。テレビジョン出力ポート360は、遠隔表示画面入力ポート680に通信可能に結合され、遠隔表示画面出力ポート690は、テレビジョン入力ポート370に通信可能に結合される。遠隔表示画面600は、テレビジョンのチューナ320からの復号された出力である、復号されたオーディオビデオデータ信号を、接続67経由で受け取る。好ましくは、オーディオビデオデータは、オーディオビデオ信号と、命令およびプログラミング情報を含む制御データとを含む。別の態様として、遠隔表示画面600は、テレビジョンのチューナ320からの復号された出力である、復号されたオーディオビデオ信号を、67経由で受け取り、さらに、テレビジョン制御ユニット350からの制御データを、接続80経由で受け取る。
【００３２】
遠隔表示画面600は、テレビジョン300から直接出力される信号を表示する。より具体的には、遠隔表示画面600は、接続67からの復号されたオーディオビデオデータ信号を表示する。遠隔表示画面600上でもテレビジョン300上でも、同じ高品質のデジタル画像を表示することができる。遠隔表示画面600は、従来の方法を利用して、このオーディオビデオを可視画面620上に表示する。好ましくは、遠隔表示画面600はまた、制御データをテレビジョンへ接続90経由で送るための遠隔表示画面出力ポート690を有する。また好ましくは、テレビジョン入力ポート370は、制御データを接続90経由で遠隔表示画面600から受け取るように構成される。
【００３３】
接続90を介しては、遠隔表示画面出力ポート690が、テレビジョンの電源投入、テレビジョンの電源遮断、タイマの設定、およびチューナチャンネルの選択などの命令を含む制御データを、テレビジョン入力ポート370へ送る。この制御データは、テレビジョン入力ポート370からテレビジョン制御ユニット350へ経路指定され、テレビジョン制御ユニット350がその命令を処理する。さらに別の実施形態では、遠隔表示画面入力ポート680は、制御データを、接続90を介して受け取る。一実施形態では、遠隔表示画面600は、テレビジョン300の特定の機能を制御する。別の実施形態では、テレビジョン300は、遠隔表示画面600の特定の機能を制御する。
【００３４】
別の態様として、上記で論じたテレビジョンは、代わりに適切な表示装置に置き換えられる。この表示装置は、可視画面と、1つまたは複数の内部デジタルチューナと、復号されたオーディオビデオ信号をこの内部表示装置チューナから直接経路指定するための出力ポートとを備える。この表示装置の他の構成要素は、上記で論じたテレビジョンのものとほとんど同様である。さらに、表示装置と記録装置または遠隔表示画面などの遠隔装置の間を結合する通信は、上記および全体にわたる説明に実質的に適合する。
【００３５】
本発明によれば、図3は、オーディオビデオデータ信号を経路指定するシステムを示す。好ましい実施形態では、システム700は、テレビジョン720と、記録装置770とを備える。テレビジョン720は、デジタル放送信号を接続35経由で受け取り、かつ復号されたオーディオビデオデータ信号を生成するように結合された、少なくとも1つのチューナ721を含む。好ましくは、テレビジョン720は、デジタル放送信号を接続36経由で受け取り、かつ復号されたオーディオビデオデータ信号を生成するように結合された、第2のチューナ722を含む。復号されたオーディオビデオデータ信号は、接続65および66を介して、それぞれチューナ721および722から入手可能である。接続66は、接続67と68に分割され、したがって、同一のオーディオビデオデータ信号が、接続67および68を介して経路指定される。出力ポート728は、接続67によりチューナ722に結合されており、復号されたオーディオビデオデータ信号が、出力ポート728へ直接経路指定される。別の態様として、出力ポート728は、チューナ721に結合されており、復号されたオーディオビデオデータ信号が、出力ポート728へ直接経路指定される。一実施形態では、ユーザは、チューナ721または722のどちらからの出力を出力ポート728へ経路指定するかを選択する。これらのチューナのうちの1つは、テレビジョン720の内部にある。一実施形態では、テレビジョン720を記録装置770に通信可能に結合させる接続(接続67、80、87および90)は、ケーブルまたはワイヤなどの物理接続である。代替実施形態では、これらの接続は、信号を無線で経路指定する、適切な無線形式またはプロトコルを含む。
【００３６】
デジタル放送信号は、テレビジョン720において接続34経由で、標準的な方法によりケーブルまたはアンテナ出口10から入手可能である。チューナ721および722は、このデジタル放送信号を、入力として接続34から受け取る。接続34は、接続35と36に分割される。チューナ721および722は、接続35および36経由で受け取るデジタル放送信号を、従来の方法を用いて復号し、復号されたオーディオビデオデータ信号を出力する。これらの信号は、接続65および66を介して経路指定される。チューナ721からの復号されたオーディオビデオデータ信号は、テレビジョン画面723へ接続65を介して経路指定され、チューナ722からの復号されたオーディオビデオ信号は、ピクチャインピクチャ画面部分724へ接続68を介して経路指定される。さらに、復号されたオーディオビデオデータ信号は、出力ポート728へ接続67を通って経路指定される。出力ポート728は、記録装置770に通信可能に結合するように構成される。別の態様として、出力ポート728は、遠隔表示画面に通信可能に結合するように構成される。
【００３７】
ピクチャインピクチャ画面部分724と出力ポート728はともに、同じ復号されたデジタルオーディオビデオデータ信号を、接続67および68から受け取る。したがって、記録装置770は、テレビジョンチューナ722の出力を直接利用し、ユーザはそれを、テレビジョンピクチャインピクチャ画面部分724上で視聴することができる。別の態様として、記録装置770は、テレビジョンチューナ721の出力を直接利用し、ユーザがそれを、テレビジョン画面723上で視聴することもできる。出力ポート728が復号されたオーディオビデオデータ信号を供給するので、通信可能に結合された装置は、復号されたオーディオビデオデータ信号を受け取り、表示し、記録し、またはその他の方法で利用するための専用のチューナを持つ必要がない。一実施形態では、テレビジョン720は、テレビジョン720に結合された、制御データを接続90経由で受け取るための入力ポート729を、さらに備える。この制御データは、テレビジョン制御ユニット725へ経路指定される。テレビジョン制御ユニット725は、記録装置770からの命令を受け取る。これらの命令は、テレビジョンの電源投入、テレビジョンの電源遮断、タイマの設定、およびチューナチャンネルの選択を含む、様々な機能を指示する。一実施形態では、記録装置770は、テレビジョン720内の特定のチューナを制御する。制御ユニット725は、命令およびプログラミング情報を、通信可能に接続された記録装置770へ送る。これらの命令およびプログラミング情報は、記録装置の電源投入、記録装置の電源遮断、記録の開始、記録の停止、所定の長さの時間にわたる記録、およびプログラミング情報に基づく特定のジャンルの記録を含む、様々な機能を指示する。一実施形態では、記録装置は、信号を受け取るまで休止状態にある。オーディオビデオデータ信号および記録命令をテレビジョン720から受け取ると、記録装置770は、電源が入り、記録を開始する。
【００３８】
記録装置770は、復号されたオーディオビデオデータ信号を、テレビジョン720から接続67経由で、テレビジョン720の出力ポート728を介して受け取るように構成された入力ポート778と、その復号されたオーディオビデオデータ信号のうち選択された部分を受け取りかつ記録するように入力ポート778に結合された記録媒体774とを含む。好ましくは、復号されたオーディオビデオデータはデジタル形式である。別の態様として、復号されたオーディオビデオデータはアナログ形式である。好ましくは、復号されたオーディオビデオデータ信号は、オーディオビデオ信号を含む。接続67および68から入手可能な復号されたオーディオビデオデータ信号は、命令およびプログラミング情報を含む制御データを有する。別の態様として、テレビジョン制御ユニット725および記録装置制御ユニット773は、オーディオビデオ信号に加えて、制御データを送り出しかつ受け取る。
【００３９】
本発明の一部の実施形態では、テレビジョン720および記録装置770は、復号されたオーディオビデオ信号に加えて、制御データを送り出しかつ受け取る。この通信により、本発明によって開示されるシステムに、他の中間装置をさらに備えるネットワーク構成要素が与えられる。この実施形態では、複数の装置が、テレビジョン内部チューナ722の直接出力を利用する。さらに、複数の装置が、テレビジョンチューナ722の出力からの復号されたオーディオビデオ信号を使用することに関係する制御データを送り出しかつ受け取る。
【００４０】
図4Aは、テレビジョンの内部チューナの出力信号を経路指定して、記録装置または遠隔表示画面などの遠隔装置による復号された信号の直接使用を可能にする方法を示す。テレビジョンの内部チューナの出力信号を経路指定し、復号された信号の直接使用を可能にする方法800は、ステップ805で放送信号をテレビジョンで受け取ること、およびステップ815でこの放送信号を少なくとも1つのチューナで復号して、復号されたオーディオビデオデータ信号を生成することを含む。この方法は、ステップ825で復号された信号を分割し、その結果複数の装置がその信号を利用できるようにすることをさらに含む。ステップ835で、分割された信号の一方の分岐を、テレビジョン画面へ経路指定する。この信号をテレビジョン画面へ経路指定した後、ステップ855で、復号されたオーディオビデオデータ信号を含む画像および音を、テレビジョン受信機で受け取りかつ表示する。ステップ845で、分割された復号されたオーディオビデオデータ信号の他方の分岐を、チューナからテレビジョンの出力ポートへ経路指定する。この出力ポートは、遠隔装置に通信可能に結合するように構成され、ここで、オーディオビデオ信号をさらに経路指定する。この信号を遠隔装置へ経路指定した後、ステップ865で、遠隔装置はこの信号を受け取りかつ利用する。好ましくは、遠隔装置は記録装置であり、オーディオビデオデータ信号を記録する。別の態様として、遠隔装置は遠隔表示画面であり、経路指定されたオーディオおよびビデオを表示する。
【００４１】
図4Bは、本発明の方法の代替実施形態を示す。方法801は、ステップ810で放送デジタル信号をテレビジョンで受け取ること、およびステップ820でその信号をテレビジョン内で分割することを含む。ステップ830で、分割された信号の第1の分岐を、テレビジョン内の第1のチューナで復号する。ステップ840で、分割された信号の第2の分岐を、テレビジョン内の第2のチューナで復号する。デジタル放送信号を復号することにより、復号されたオーディオビデオデータ信号が生成される。この方法は、ステップ850で復号されたオーディオビデオデータ信号を第1のチューナから画面へ経路指定することをさらに含む。ステップ870で、画像および音を、画面で受け取りかつ表示する。この方法は、ステップ860で第2のチューナからの復号されたオーディオビデオデータ信号を分割し、その結果複数の装置が信号を利用できるようにすることをさらに含む。ステップ880で、分割された信号の一方の分岐を、ピクチャインピクチャ画面部分へ経路指定する。この信号をピクチャインピクチャ画面部分へ経路指定した後、ステップ890で、復号されたオーディオビデオデータ信号を含む画像を、ピクチャインピクチャ画面部分で受け取りかつ表示する。ステップ885で、復号されたオーディオビデオデータ信号を、第2のチューナからテレビジョンの出力ポートへ経路指定する。この出力ポートは、遠隔装置に通信可能に結合するように構成される。この信号を遠隔装置へ経路指定した後、ステップ895で、この信号を遠隔装置で受け取りかつ利用する。好ましくは、遠隔装置は記録装置であり、オーディオビデオデータ信号を記録する。別の態様として、遠隔装置は遠隔表示画面であり、経路指定されたオーディオおよびビデオを表示する。
【００４２】
本発明の鍵は、テレビジョンの内部デジタルチューナの直接出力を可能にしていることである。本発明には、多くの利点がある。第1に、デジタルチューナの直接出力により、記録装置または遠隔表示画面などの遠隔装置が、復号されたオーディオビデオ信号を利用できる。したがって、遠隔装置は、その機能を実行するために専用のチューナを必要としない。これは、記録装置などの多くの遠隔装置がデジタルチューナを持たないので、特に重要である。さらに、記録装置が低い利幅で販売されるので、チューナ構成要素のコストのために、デジタルチューナを記録装置に組み込むことは法外に高価なことになる。
【００４３】
別の利点は、遠隔装置が利用するチューナが、遠隔装置内に組み込まれるのではなく、テレビジョン内に組み込まれている場合、ユーザは遠隔装置をさらに制御できるようになることである。本発明により、テレビジョンが遠隔装置の様々な機能を制御できるようになるので、記録装置は、使用するのに、またハードウェア内で実施するのに、より簡単になる。たとえば、記録装置は現在、記録装置内の専用アナログチューナが適切な時間に適切なチャンネルに同調するように、記録装置を設定する必要がある。この機能を実施するためには、ユーザインターフェースが必要である。通常、大量のメニューおよびオプションを見てまわるために遠隔制御装置または同様の装置が使用され、この遠隔制御装置が、テレビジョンの遠隔制御装置その他に加えられる。本発明では、遠隔装置は、テレビジョン制御を用いて直接かつより効率的に制御されるので、そのようなインターフェースを持つ必要がない。テレビジョンインターフェースは、テレビジョンチューナがいつ動作するか、またどのチャンネルに同調するかを指示する。本発明の記録装置は、単に制御データ入力における記録「開始」命令を待つだけである。一度命令を受け取ると、記録装置は、記録「停止」命令を受け取るまで、そのまま、すでに復号されたオーディオビデオ信号を記録する。やはり、本発明の記録装置内にはチューナが必要とされないので、この記録装置のインターフェースは、製造するのに非常に簡単で、効率的で、かつ廉価である。同様に、テレビジョンおよび記録装置の他の機能も、本発明で合理化されている。
【００４４】
一部の実施形態の別の利点は、本発明がオーディオビデオネットワーク構成要素を開示していることである。たとえば、テレビジョンチューナの直接出力は、ある建物の他の部屋の中の複数の遠隔装置へ経路指定される。オーディオビデオ信号は、より長い距離にわたって経路指定されるときも、著しく品質を損なうことがない。本発明により、テレビジョンの内部チューナの直接出力を、遠隔表示画面などの他の装置に渡すことができるようになる。内部チューナを持たない遠隔表示画面が多く市場に出ているが、これらの装置は、高価なセットトップボックスなしで、テレビジョンからの復号されたオーディオビデオ信号を利用することができる。
【００４５】
本発明について、本発明の構造および動作の原理の理解を容易にするために、具体的な実施形態に関して細部を組み込んで説明してきた。具体的な実施形態およびその細部への本明細書中でのそのような参照は、本明細書に添付の特許請求の範囲を限定するものではない。本発明の精神および範囲から逸脱することなく、例示のために選択された実施形態に修正を加えることができることが、当業者には明らかであろう。
【図面の簡単な説明】
【００４６】
【図１】図1Aは、従来技術の初期状態を示す図である。図1Bは、従来技術の進化を示す図である。図1Cは、現況技術を示す図である。
【図２】図2Aは、本発明によるテレビジョンおよび遠隔装置の例示的接続の機能ブロック図である。図2Bは、本発明によるテレビジョンおよび記録装置の例示的接続の機能ブロック図である。図2Cは、本発明によるテレビジョンおよび遠隔表示画面の例示的接続の機能ブロック図である。
【図３】テレビジョンおよび記録装置を含む、本発明により開示されるシステムの機能ブロック図である。
【図４Ａ】図4Aは、本発明の方法の流れ図である。
【図４Ｂ】図4Bは、本発明の代替方法の流れ図である。
【図１】
2009505512.tif 000003
【図２】
2009505512.tif 000004
【図３】
2009505512.tif 000005
【図４Ａ】
2009505512.tif 000006
【図４Ｂ】
2009505512.tif 000007